(57)【要約】【課題】電気機器に液体が付着しにくい加熱調理器を提供する。【解決手段】加熱調理器１は、天板３と、嵌め込み部材６と、背面カバー７と、を備える。嵌め込み部材６は、天板３に形成される貫通孔３４に嵌め込まれる。嵌め込み部材６は、嵌め込み体６１と、電気機器６２と、囲み壁６３と、を有する。電気機器６２は、嵌め込み体６１の機器本体２０内側に設けられる。囲み壁６３は、嵌め込み体６１の機器本体２０内側に設けられ、電気機器６２を囲む。背面カバー７は、嵌め込み部材６に取り付けられる。背面カバー７は、カバー囲み壁７１と、フランジ７２と、カバー外壁７３と、を有する。カバー囲み壁７１は、囲み壁６３を囲む。カバー外壁７３は、フランジ７２のカバー囲み壁７１よりも外側の部分から起立する。カバー外壁７３の周方向の一部に、フランジ７２上を伝う液体を背面カバー７外に排出する排出口が形成される。【選択図】図３
2020085327.tif 000002
【特許請求の範囲】
【請求項１】
上開口を有して箱状をなす機器本体と、
前記上開口を閉塞する天板と、
前記天板に形成される貫通孔に嵌め込まれる嵌め込み部材と、
前記嵌め込み部材に取り付けられる背面カバーと、を備え、
前記嵌め込み部材は、前記貫通孔に嵌め込まれて前記貫通孔を閉塞する嵌め込み体と、前記嵌め込み体の前記機器本体内側に設けられる電気機器と、前記嵌め込み体の前記機器本体内側に設けられ、前記貫通孔の貫通方向に見て前記電気機器を囲む囲み壁と、を有し、
前記背面カバーは、前記囲み壁が挿入され、前記貫通孔の貫通方向に見て前記囲み壁を囲むカバー囲み壁と、前記カバー囲み壁から周方向の外側に突出するフランジと、前記フランジの前記カバー囲み壁よりも外側の部分から起立するカバー外壁と、を有し、
前記カバー外壁の周方向の一部に、前記フランジ上を伝う液体を前記背面カバー外に排出する排出口が形成される加熱調理器。
【請求項２】
前記フランジの上面が、前記排出口に向かって下り傾斜する傾斜面となる請求項１記載の加熱調理器。
【請求項３】
前記背面カバーは、前記貫通孔の貫通方向に見て、点対称に形成されている請求項１又は２記載の加熱調理器。
【請求項４】
前記天板の上面と前記嵌め込み部材の上面が、同一平面状に位置している請求項１〜３のいずれか一項に記載の加熱調理器。
【発明の詳細な説明】
【技術分野】
【０００１】
本開示は、加熱調理器に関し、更に詳しくは、天板に形成される貫通孔に嵌め込まれる嵌め込み部材を備える加熱調理器に関する。
【背景技術】
【０００２】
従来、操作パネルに形成されている貫通孔に、表示部材や透過部材が嵌め込まれるガスコンロが知られている（例えば特許文献１参照）。この加熱調理器においては、零れた煮汁等の液体が貫通孔より浸入するおそれがある。
【先行技術文献】
【特許文献】
【０００３】
【特許文献１】特開２０１３−１２４８３２号公報
【発明の概要】
【発明が解決しようとする課題】
【０００４】
表示部材や透過部材に、貫通孔より浸入した液体が付着しても、表示部材や透過部材が電気機器を有していない場合には、特に問題とならない。しかしながら、表示部材や透過部材が電気機器を有する場合には、電気機器に液体が付着すると誤作動を起こすおそれがある。
【０００５】
本開示は上記従来の問題点に鑑み、電気機器に液体が付着しにくい加熱調理器を提供することを目的とする。
【課題を解決するための手段】
【０００６】
上記課題を解決するために、本開示に係る一形態の加熱調理器は、機器本体と、天板と、嵌め込み部材と、背面カバーと、を備える。前記機器本体は、上開口を有して箱状をなす。前記天板は、前記上開口を閉塞する。前記嵌め込み部材は、前記天板に形成される貫通孔に嵌め込まれる。前記嵌め込み部材は、嵌め込み体と、電気機器と、囲み壁と、を有する。前記嵌め込み体は、前記貫通孔に嵌め込まれて前記貫通孔を閉塞する。前記電気機器は、前記嵌め込み体の前記機器本体内側に設けられる。前記囲み壁は、前記嵌め込み体の前記機器本体内側に設けられ、前記貫通孔の貫通方向に見て前記電気機器を囲む。前記背面カバーは、前記嵌め込み部材に取り付けられる。前記背面カバーは、カバー囲み壁と、フランジと、カバー外壁と、を有する。前記カバー囲み壁は、前記囲み壁が挿入され、前記貫通孔の貫通方向に見て前記囲み壁を囲む。前記フランジは、前記カバー囲み壁から周方向の外側に突出する。前記カバー外壁は、前記フランジの前記カバー囲み壁よりも外側の部分から起立する。前記カバー外壁の周方向の一部に、前記フランジ上を伝う液体を前記背面カバー外に排出する排出口が形成される。
【発明の効果】
【０００７】
本開示に係る一形態の加熱調理器にあっては、電気機器に液体が付着しにくい。
【図面の簡単な説明】
【０００８】
【図１】図１は、本開示の第一実施形態に係る加熱調理器の全体斜視図である。
【図２】図２は、同上の加熱調理器の操作部近傍の垂直面で切断した断面図である。
【図３】図３は、同上の加熱調理器の嵌め込み部材及び背面カバーを通る垂直面で切断した断面図である。
【図４】図４Ａは、同上の嵌め込み部材の正面図である。図４Ｂは、同上の嵌め込み部材の背方より見た斜視図である。
【図５】図５は、同上の加熱調理器の機器本体の貫通孔近傍の斜視図である。
【図６】図６Ａは、同上の背面カバーの背面図である。図６Ｂは、同上の背面カバーの前方より見た斜視図である。
【発明を実施するための形態】
【０００９】
本開示に係る加熱調理器の一実施形態について、図１〜図７に基いて説明する。本実施形態における加熱調理器は、キッチンキャビネットのキッチンカウンターに穿設された開口部に挿入されて設置されるドロップインコンロであるが、加熱調理器は特にドロップインコンロに限定されない。
【００１０】
図１に示すように、加熱調理器１は、コンロバーナ１１と、コンロバーナ１１を収納する筐体２と、嵌め込み部材６と、背面カバー７と、を備える。筐体２は、機器本体２０と、天板３と、を有する。機器本体２０は、概ね箱状をして上開口を有し、上方に開放されている。天板３は、機器本体２０に載置されて、機器本体２０の上開口を閉塞する。天板３の前部には、操作部４が位置する。ここで、加熱調理器１における前後左右を図１に示すように規定する。すなわち、水平面上に載置された加熱調理器１を基準として、設計上、使用者が位置する方を前方とするとともにその反対の方を後方とする。また、左方及び右方は、前方より後方を向くときの左方及び右方とする。
【００１１】
天板３の操作部４よりも後側の部分には、鍋等の調理容器が五徳１２を介して載置される調理容器載置部３１が形成されている。調理容器載置部３１の上面は、機器本体２０が水平面上に載置された状態において、水平となる。
【００１２】
加熱調理器１は、本実施形態では、天板３の前側と後側とにそれぞれ一個ずつ、計二個のコンロバーナ１１を備えている。コンロバーナ１１は、図示しない混合管及びバーナベースを有するバーナ本体と、バーナ本体の上に脱着可能に載設されるバーナキャップと、を有する。
【００１３】
コンロバーナ１１の大部分は、筐体２内に収納される。本実施形態では、コンロバーナ１１のうち混合管を含む部分が、筐体２内に収納される。コンロバーナ１１の上部すなわち、バーナキャップ及びバーナベースを含む部分が、天板３の調理容器載置部３１に形成されたバーナ挿通開口を介して筐体２の天板３の上側に露出している。また、調理容器載置部３１のバーナ挿通開口の周囲の上面には、五徳１２が載置されている。
【００１４】
コンロバーナ１１には、図示しないが、都市ガス等の燃料ガスを供給するガス供給路を介してガスが供給される。ガス供給路には、安全弁、流量調節弁等が設けられる。操作部４を操作すると、対応するコンロバーナ１１のガス供給路の安全弁が開き、流量調節弁の開度が調節され、点火プラグによるスパークが行われる。
【００１５】
なお、コンロバーナ１１、ガス供給路及びその付随物としては、既存の様々なものが適宜利用可能であり、詳細な説明は省略する。コンロバーナ１１の個数は二個に限定されず、一個、三個又は四個以上でもよい。また、コンロバーナ１１が複数設けられる場合、コンロバーナ１１が並ぶ方向は前後方向に限定されず、左右方向又はこれ以外の方向であってもよい。また、五徳１２の形状、有無等は限定されない。
【００１６】
図２に示すように、操作部４は、天板３の前部に形成される操作部配置部３３に配置される。天板３は、調理容器載置部３１の前側の部分に傾斜部３２を有し、傾斜部３２の前側の部分に操作部配置部３３を有する。傾斜部３２及び操作部配置部３３は、天板３の一部であり、調理容器載置部３１の前端部は傾斜部３２の後端部に連続しており、傾斜部３２の前端部は操作部配置部３３の後端部に連続している。傾斜部３２の上面の法線３２０は上方よりも後側に傾いている。言い換えると、傾斜部３２の上面は、後方に向けて下り傾斜している。操作部配置部３３の上面の法線３３０は上方よりも前側に傾く。言い換えると、操作部配置部３３の上面は、前方に向けて下り傾斜している。傾斜部３２及び操作部配置部３３は、調理容器載置部３１よりも高い位置にある。
【００１７】
操作部４は、コンロバーナ１１の点火、消火及び火力調節を行うために操作される。点火の際には、操作部４を消火位置から点火位置まで回転させることで、安全弁が開くとともに流量調節弁において開度が点火用の大きな開度となり、点火プラグによるスパークが開始され、点火が行われる。点火後は、操作部４を適宜の位置まで回転させて、所望の加熱量を得るべくガスの流量を調節する。また、消火の際には、操作部４を消火位置まで回転させることで、流量調節弁が絞られるとともに安全弁が閉じて、消火が行われる。
【００１８】
操作部４は、つまみ部４１と、軸部４２と、を有する。つまみ部４１は、使用者が操作部４を回転させるためにつまむ部分であり、操作部配置部３３よりも上側に位置している（図１及び図２参照）。つまみ部４１は、軸部４２と回転一体に構成される。本実施形態では、つまみ部４１は、合成樹脂により軸部４２と一体に形成されているが、つまみ部４１と軸部４２とが別体として構成されて回転一体に連結されてもよい。軸部４２の軸線方向は、法線３３０方向と一致している。
【００１９】
図２に示すように、操作部配置部３３には、法線３３０方向に貫通する貫通孔３３１が形成される。貫通孔３３１は、法線３３０方向から見て円形状をしており、貫通孔３３１の内径は、軸部４２の外径よりも大きい。本実施形態では、鍋等の調理容器から零れて操作部配置部３３の上面を伝う煮汁が貫通孔３３１から筐体２内に浸入するのを抑制する堰部５０が、操作部配置部３３の貫通孔３３１の周縁部に形成されている。
【００２０】
本実施形態では、堰部５０は、操作部配置部３３の貫通孔３３１の周縁部に沿う円環状をした堰部材５が貫通孔３３１の周縁部に取り付けられることにより、形成されている。堰部材５は、外周面の全周にわたって連続する凹部５２を有する取付部５１と、取付部５１から上側に突出する堰部５０と、を有している。取付部５１の凹部５２に貫通孔３３１の周縁部が嵌め込まれることにより、堰部材５が貫通孔３３１の周縁部に取り付けられる。
【００２１】
堰部５０の内径は、貫通孔３３１の内径より小さいものの、軸部４２の外径よりは大きい。このため、軸部４２が貫通孔３３１を貫通する状態において、軸部４２の外周に沿って筐体２の内外に通じる隙間３３２が形成されている。
【００２２】
軸部４２は、貫通孔３３１を貫通して軸回りに回転可能に筐体２に支持される。本実施形態では、上述した安全弁及び流量調節弁を有する器具栓ユニット１３が、取付部材１４を介して機器本体２０に取り付けられている。軸部４２は、器具栓ユニット１３が有する入力軸１３１に連結されて支持される。これにより、操作部４は、天板３に形成された貫通孔３３１を通して、器具栓ユニット１３を介して取付部材１４に支持されている。
【００２３】
図３及び図１に示すように、嵌め込み部材６は、天板３に形成される貫通孔３４に嵌め込まれる。図３、図４Ａ及び図４Ｂに示すように、嵌め込み部材６は、嵌め込み体６１と、電気機器６２と、囲み壁６３と、を有する。本実施形態では、図３及び図４Ｂに示すように、嵌め込み体６１は、板部６１１と、板部６１１の周縁より後方に突出する筒部６１２と、を有する。板部６１１の外郭は、貫通孔３４（図１参照）の貫通方向に見て、貫通孔３４の外郭と同形同大に形成される。なお、板部６１１の外郭は、貫通孔３４の外郭とほぼ同形で貫通孔３４よりも若干小さく形成されてもよい。また、本実施形態では、板部６１１の上面に、樹脂フィルムからなる表示シート６１３が貼付されている。
【００２４】
電気機器６２は、嵌め込み体６１の機器本体２０内側（本実施形態では板部６１１の下面）に設けられる。また、囲み壁６３は、嵌め込み体６１の機器本体２０内側に設けられる。囲み壁６３は、貫通孔３４の貫通方向に見て、筒部６１２の内側に形成される。本実施形態では、筒部６１２と囲み壁６３とにより二重壁が形成されている。囲み壁６３は、貫通孔３４の貫通方向に見て電気機器６２を囲む。本実施形態では、囲み壁６３は、略矩形状に形成されている。囲み壁６３の周方向の一部は、貫通孔３４の貫通方向に沿う長さが他の部分よりも長くなっており、先端に引っ掛け部６３１が形成されている。
【００２５】
図５及び図１に示すように、貫通孔３４は、貫通方向に見て、概ね横長の矩形状をしており、角部が円く形成されている。貫通孔３４は、天板３の操作部配置部３３に形成されている。貫通孔３４は、天板３の操作部配置部３３にバーリング加工を施すことにより形成されている。これにより、操作部配置部３３の貫通孔３４の周縁部には、下方に向けて突出する筒部が形成され、筒部のうちの一部が更に貫通孔３４の内方に曲げられて、受け片３４１が形成されている。図５及び図３に示すように、受け片３４１は、左右の辺の中央部にそれぞれ形成されている。
【００２６】
図３に示すように、嵌め込み体６１は、貫通孔３４に嵌め込まれて貫通孔３４を閉塞する。嵌め込み体６１の板部６１１及び筒部６１２の外周面が、貫通孔３４の内周面に接触している。本実施形態では、貫通孔３４がバーリング加工により形成されており、貫通孔３４の上端部は丸みを帯びている。上端部が丸みを帯びた貫通孔３４の内周面と、板部６１１及び筒部６１２の外周面との間に、Ｏリング等のパッキンを配置してもパッキンが外れやすいため、この間にパッキンは配置されていない。
【００２７】
嵌め込み体６１の筒部６１２は受け片３４１に受けられ、天板３の上面（操作部配置部３３の上面）と嵌め込み部材６の上面（表示シート６１３の上面）が、同一平面状に位置している。なお、同一平面状に位置するとは、厳密に同一平面上に位置する必要はなく、使用者に、同一平面上に位置しているように見えればよい。例えば、天板３の上面と嵌め込み部材６の上面の１ｍｍ程度ずれは、許容範囲内である。これにより、天板３の上面と嵌め込み部材６の上面が同一面状に位置して、見栄えがよくなる。
【００２８】
上述したように、嵌め込み体６１の外周面と貫通孔３４の内周面との間には、パッキンが配置されていない。このため、天板３上に零れた煮汁等の液体が、嵌め込み体６１の外周面と貫通孔３４の内周面との間から浸入するおそれがある。このため、嵌め込み部材６に背面カバー７が取り付けられる。
【００２９】
図６Ａ及び図６Ｂに示すように、背面カバー７は、カバー囲み壁７１と、フランジ７２と、カバー外壁７３と、を有する。カバー囲み壁７１には、嵌め込み部材６の囲み壁６３が挿入される。図３に示すように、カバー囲み壁７１は、貫通孔３４の貫通方向に見て、囲み壁６３を囲む。本実施形態では、カバー囲み壁７１内に囲み壁６３が嵌め込まれる。カバー囲み壁７１は、略矩形状に形成されている。図３に示すように、嵌め込み部材６に背面カバー７が後方より取り付けられた状態で、嵌め込み部材６の引っ掛け部６３１がカバー囲み壁７１の下端部に引っ掛かって、背面カバー７の嵌め込み部材６からの抜け止めがなされる。
【００３０】
またカバー囲み壁７１は、嵌め込み部材６に背面カバー７が後方より取り付けられた状態で、筒部６１２及び貫通孔３４の内側に挿入される。
【００３１】
図３、図６Ａ及び図６Ｂに示すように、フランジ７２は、カバー囲み壁７１から周方向の外側に突出する。フランジ７２の外郭は、略矩形状に形成されており、嵌め込み部材６の板部６１１の外郭よりも若干大きく形成されている。フランジ７２の上面は、嵌め込み体６１の外周面と貫通孔３４の内周面との間から浸入した煮汁等の液体を受ける。
【００３２】
カバー外壁７３は、フランジ７２のカバー囲み壁７１よりも外側の部分から起立する。本実施形態では、フランジ７２の外周端からカバー外壁７３が上方に向けて突出している。カバー外壁７３の周方向の一部に、排出口７４が形成される。本実施形態では、図６Ｂに示すように、前側に位置するカバー外壁７３の左端部に排出口７４１が、右端部に排出口７４２が形成されている。また、後側に位置するカバー外壁７３の左端部に排出口７４３が、右端部に排出口７４４が形成されている。
【００３３】
これにより、嵌め込み体６１の外周面と貫通孔３４の内周面との間から浸入した煮汁等の液体がフランジ７２上を伝って、排出口７４４より落下して、背面カバー７外に排出される。本実施形態の加熱調理器１においては、嵌め込み体６１の外周面と貫通孔３４の内周面との間から液体が浸入しても、カバー囲み壁７１により液体が内側に浸入するのが抑えられ、液体はフランジ７２に受けられる。フランジ７２に受けられてフランジ７２上を伝う液体は、排出口７４４より落下して、背面カバー７外に排出され、電気機器６２から遠ざけられる。また、フランジ７２に受けられた液体は、カバー囲み壁７１により内側に浸入するのが抑えられるだけでなく、嵌め込み部材６の囲み壁６３によっても、更に内側に浸入するのが抑えられる。このため、本実施形態の加熱調理器１においては、嵌め込み体６１の外周面と貫通孔３４の内周面との間から液体が浸入しても、液体が電気機器６２に付着しにくい。
【００３４】
また本実施形態では、背面カバー７は、貫通孔３４の貫通方向に見て、点対称に形成されている。更に説明を加えると、背面カバー７のカバー囲み壁７１、フランジ７２、カバー外壁７３及び排出口７４の位置関係に関して、点対称に形成されている。図６Ａ及び図６Ｂに示すように、フランジ７２の背面に文字が書かれている点、フランジ７２の前側の部分の中央部に凸部を有するのに対してフランジ７２の後側の部分の中央部には凸部を有しない点等は除外して、点対称か否かが判断される。このように、背面カバー７が点対称に形成されることにより、背面カバー７を嵌め込み部材６に取り付ける作業がしやすくなる。
【００３５】
また、フランジ７２の上面が、排出口７４に向かって下り傾斜する傾斜面となってもよい。これにより、フランジ７２に受けられた液体が、排出口７４４に向かってフランジ７２上を伝いやすくなる。
【００３６】
以上、述べた実施形態から明らかなように、第１の態様の加熱調理器１は、機器本体２０と、天板３と、嵌め込み部材６と、背面カバー７と、を備える。機器本体２０は、上開口を有して箱状をなす。天板３は、上開口を閉塞する。嵌め込み部材６は、天板３に形成される貫通孔３４に嵌め込まれる。嵌め込み部材６は、嵌め込み体６１と、電気機器６２と、囲み壁６３と、を有する。嵌め込み体６１は、貫通孔３４に嵌め込まれて貫通孔３４を閉塞する。電気機器６２は、嵌め込み体６１の機器本体２０内側に設けられる。囲み壁６３は、嵌め込み体６１の機器本体２０内側に設けられ、貫通孔３４の貫通方向に見て電気機器６２を囲む。背面カバー７は、嵌め込み部材６に取り付けられる。背面カバー７は、カバー囲み壁７１と、フランジ７２と、カバー外壁７３と、を有する。カバー囲み壁７１は、囲み壁６３が挿入され、貫通孔３４の貫通方向に見て囲み壁６３を囲む。フランジ７２は、カバー囲み壁７１から周方向の外側に突出する。カバー外壁７３は、フランジ７２のカバー囲み壁７１よりも外側の部分から起立する。カバー外壁７３の周方向の一部に、フランジ７２上を伝う液体を背面カバー７外に排出する排出口７４が形成される。
【００３７】
第１の態様によれば、嵌め込み体６１と貫通孔３４との間から浸入してフランジ７２に受けられた液体は、フランジ７２上を伝って排出口７４４より背面カバー７外に排出され、電気機器６２から遠ざけられる。また、フランジ７２に受けられた液体は、カバー囲み壁７１及び囲み壁６３によって内側に浸入するのが抑えられるため、液体が電気機器６２に付着しにくい。
【００３８】
第２の態様では、第１の態様との組み合わせにより実現される。第２の態様では、フランジ７２の上面が、排出口７４に向かって下り傾斜する傾斜面となる。
【００３９】
第２の態様によれば、フランジ７２に受けられた液体が、排出口７４４に向かってフランジ７２上を伝いやすくなる。
【００４０】
第３の態様では、第１の態様または第２の態様との組み合わせにより実現される。第３の態様では、背面カバー７は、貫通孔３４の貫通方向に見て、点対称に形成されている
第３の態様によれば、背面カバー７を嵌め込み部材６に取り付ける作業がしやすくなる。
【００４１】
第４の態様では、第１〜第３のいずれかの態様との組み合わせにより実現される。第４の態様では、天板３の上面と嵌め込み部材６の上面が、同一平面状に位置している。
【００４２】
第４の態様によれば、天板３の上面と嵌め込み部材６の上面が同一面状に位置して、見栄えがよくなる。
【符号の説明】
【００４３】
１    加熱調理器
２０  機器本体
３    天板
３４  貫通孔
６    嵌め込み部材
６１  嵌め込み体
６２  電気機器
６３  囲み壁
７    背面カバー
７１  カバー囲み壁
７２  フランジ
７３  カバー外壁
７４    排出口
【図１】
2020085327.tif 000003
【図２】
2020085327.tif 000004
【図３】
2020085327.tif 000005
【図４】
2020085327.tif 000006
【図５】
2020085327.tif 000007
【図６】
2020085327.tif 000008